(57)【要約】【課題】問題演習教材の答え合わせを効率よく行う。【解決手段】問題集と同問題集に記載された問題の解答を記入可能に構成された演習ノートを備えた問題演習教材のための問題演習教材用解答集であって、前記問題集に記載された一部の問題を同じ配置で転記するとともにその正解３５を記載した第１の解答欄３０と、前記演習ノートにおける前記一部の問題の解答を記入する解答記入欄を同じ配置で転記するとともにその正解４５を記載した第２の解答欄４０が設けられている。【選択図】図３
2020082427.tif 000002
【特許請求の範囲】
【請求項１】
問題集と同問題集に記載された問題の解答を記入可能に構成された演習ノートを備えた問題演習教材のための問題演習教材用解答集であって、
前記問題集に記載された一部の問題を同じ配置で転記するとともにその正解を記載した第１の解答欄と、前記演習ノートにおける前記一部の問題の解答を記入する解答記入欄を同じ配置で転記するとともにその正解を記載した第２の解答欄が設けられていることを特徴とする問題演習教材用解答集。
【請求項２】
前記第１の解答欄は、前記問題集に記載された１ページ分の問題を同じ配置で転記するとともにその正解が記載されており、
前記第２の解答欄は、前記演習ノートにおける前記１ページ分の問題の解答を記入する解答記入欄の全ページを同じ配置で転記するとともにその正解が記載されており、
前記第１の解答欄と前記第２の解答欄は同一のページに設けられていることを特徴とする請求項１に記載の問題演習教材用解答集。
【請求項３】
前記第１の解答欄及び前記第２の解答欄が設けられたページの余白には、方眼を記入した自由記入欄が設けられていることを特徴とする請求項２に記載の問題演習教材用解答集。
【請求項４】
前記第１の解答欄及び前記第２の解答欄が設けられたページの余白には、解説欄が設けられていることを特徴とする請求項２又は３に記載の問題演習教材用解答集。
【請求項５】
前記第１の解答欄及び前記第２の解答欄は、複数の色で記載されていることを特徴とする請求項１〜４のいずれか一項に記載の問題演習教材用解答集。
【発明の詳細な説明】
【技術分野】
【０００１】
本発明は、計算ドリル等の問題集と同問題集に記載された問題の解答を記入可能に構成された演習ノートを備えた問題演習教材のための問題演習教材用解答集に関する。
【背景技術】
【０００２】
例えば、小学校の算数の授業で、児童が学習内容をどの程度理解、習得しているかを確認するために計算ドリルを補助教材として使用する場合がある。計算ドリルは教科書の単元に沿った配列で演習用の問題が印刷されており、児童は計算ドリルの各単元ページを複数回演習することで学習を定着させることができる。
【０００３】
特許文献１には、計算ドリルと、計算ドリルの解答を記入可能に構成された演習ノートを備えた問題演習教材に係る発明が記載されている。演習ノートに解答を記入することにより、計算ドリルによる学習の定着のみでなく、ノートの書き方を学習することもできるとされている。
【先行技術文献】
【特許文献】
【０００４】
【特許文献１】特開２００９−１９６１０９号公報
【発明の概要】
【発明が解決しようとする課題】
【０００５】
ところで、計算ドリルの学習後に児童がその単元の内容を正しく理解、習得できているかを確認するために答え合わせを行う。通常、計算ドリルの巻末には計算ドリルの各ページを転記するとともにその解答欄に解答例や正解を印刷した「答え」のページが別途設けられている。指導者、児童、或いは保護者等は、巻末の「答え」のページを見ながら、演習ノートに記入された解答の答え合わせをする。
【０００６】
しかし、計算ドリルの巻末に設けられた「答え」のページでの問題配置と演習ノートでの問題配置とが必ずしも一致しないことがあり、答え合わせがし難いといった問題があった。
【０００７】
そこで、演習ノートと同一形式でその解答欄に解答例や正解を印刷した演習ノート用解答集を、計算ドリル、演習ノートとは別に備えるものが知られている。演習ノートに記入された解答を、演習ノート用解答集を見ながら答え合わせをすることで答え合わせの効率が向上する。
【０００８】
しかし、例えば、文章題を解くような場合に、演習ノート用解答集に印刷された計算式と、児童が演習ノートに記入した計算式とが異なっていると、児童が理解できていないために考え方自体が間違っているのか、単に文章題の数字を記載ミスしただけであるのかの区別がつき難い。こうした場合には、計算ドリルの該当ページに印刷された問題を確認して、誤答の原因がどこにあるのかを確認する必要があり、答え合わせの効率が悪いといった問題があった。
【０００９】
本発明は、こうした従来の問題を解決するためになされたものであり、その目的は、問題演習教材の答え合わせを効率よく行うことである。
【課題を解決するための手段】
【００１０】
上記課題を解決するため、本発明は、問題集と同問題集に記載された問題の解答を記入可能に構成された演習ノートを備えた問題演習教材のための問題演習教材用解答集であって、前記問題集に記載された一部の問題を同じ配置で転記するとともにその正解を記載した第１の解答欄と、前記演習ノートにおける前記一部の問題の解答を記入する解答記入欄を同じ配置で転記するとともにその正解を記載した第２の解答欄が設けられている。
【００１１】
上記の構成によれば、問題演習教材用解答集には、問題集に記載された問題及びその正解を記載した第１の解答欄と、演習ノートに記載された対応する問題の解答記入欄及びその正解を記載した第２の解答欄が設けられている。第１の解答欄では、問題集に記載された問題が同じ配置で記載されており、第２の解答欄では、演習ノートの解答記入欄が同じ配置で記載されている。そのため、演習ノートを見ながら答え合わせをする際、誤答の原因を実際の問題と照らし合わせながら確認することができる。また、第１の解答欄及び第２の解答欄は、問題集及び演習ノートと同じ配置で記載されているため、問題集と演習ノートの対応する箇所との照らし合わせが容易である。問題演習教材の答え合わせを効率よく行うことができる。
【００１２】
上記の構成において、前記第１の解答欄は、前記問題集に記載された１ページ分の問題を同じ配置で転記するとともにその正解が記載されており、前記第２の解答欄は、前記演習ノートにおける前記１ページ分の問題の解答を記入する解答記入欄の全ページを同じ配置で転記するとともにその正解が記載されており、前記第１の解答欄と前記第２の解答欄は同一のページに設けられていることが好ましい。
【００１３】
上記の構成によれば、問題演習教材用解答集の同一のページに、問題集の１ページ分が正解とともに記載されており、対応する演習ノートの全ページが正解とともに記載されている。そのため、演習ノートの解答記入欄に対応する問題を容易に確認することができる。
【００１４】
上記の構成において、前記第１の解答欄及び前記第２の解答欄が設けられたページの余白には、方眼を記入した自由記入欄が設けられていることが好ましい。
上記の構成によれば、間違えた問題があった場合に再度解きなおして間違えた原因を再確認したり、問題を解くポイントを記入したりすることができる。自由記入欄を活用することにより、学習効率を向上させることができる。
【００１５】
上記の構成において、前記第１の解答欄及び前記第２の解答欄が設けられたページの余白には、解説欄が設けられていることが好ましい。
上記の構成によれば、答え合わせをしたときに、解説欄に記載された事項を容易に確認することができる。解説欄に躓きやすい問題の詳しい解説が記載されていたり、解法のポイントが記載されていたりすることにより、学習効率を向上させることができる。
【００１６】
上記の構成において、前記第１の解答欄及び前記第２の解答欄は、複数の色で記載されていることが好ましい。
例えば、第１の解答欄及び第２の解答欄の問題を黒色、それぞれの正解を赤色としたりすれば、正解の部分を認識しやすく答え合わせの効率が向上する。
【発明の効果】
【００１７】
本発明の問題演習教材用解答集は、問題演習教材の答え合わせを効率よく行うことができる。
【図面の簡単な説明】
【００１８】
【図１】問題集としての計算ドリルのページを示す図。
【図２】演習ノートのページを示す図。
【図３】問題演習教材用解答集のページを示す図。
【図４】問題演習教材用解答集のページを示す図。
【発明を実施するための形態】
【００１９】
以下、本発明を具体化した問題演習教材用解答集の実施形態を、図１〜図４に従って説明する。本実施形態では、小学校４年生の計算ドリルとその演習ノートからなる問題演習教材のための問題演習教材用解答集を例に挙げて説明する。
【００２０】
図１は、小学校４年生の１学期に使用する計算ドリルの所定のページ１０を示している。ページ１０の上部には、「わり算、たし算とひき算」という単元名１１が「２」という数字１２とともに記載されている。また、ページのほぼ全面にわたって、学習すべき問題１３が問題番号１４とともに複数記載されている。
【００２１】
図２は、図１に示す計算ドリル用の演習ノートの所定のページ２０を示している。演習ノートは、計算ドリルの解答を記入するための専用のノートであり、計算ドリルのページ順、問題順に解答記入欄２３が記載されている。
【００２２】
演習ノートはほぼＢ５の大きさであり、ページ２０の上部には、計算ドリルの単元名１１に対応する数字２２が記載されている。また、計算ドリルの問題を演習して解答するための解答記入欄２３が問題番号２４とともに複数記載されている。図２は、図１に示すページ１０の問題１３を演習するためのページ２０を示している。図１に示すページ１０の問題１３を演習するためのページ２０は、見開き２ページ分に亘っている。図２の左側のページ２０ａには、図１の上側の問題１３ａを演習するための解答記入欄２３ａが問題番号２４ａとともに記載され、右側のページ２０ｂには、図１の下側の問題１３ｂを演習するための解答記入欄２３ｂが問題番号２４ｂとともに記載されている。各ページ２０は、薄い色目（本実施形態では水色）の方眼が印刷されており、問題番号２４及び解答記入欄２３は、方眼の目に沿うようにして記載されている。
【００２３】
解答記入欄２３のうちの一部には、問題が転記されてノートの書き方を学習することができるように構成されている。具体的には、左側のページ２０ａの解答記入欄２３ａのうち、計算ドリルの問題番号１４ａの小さい問題１３ａに対しては、同じ問題が記載されている。図２では、計算ドリルのページ１０の問題１３ａのうち、問題番号１４ａが「１」の問題１３ａが「＝」の記号とともに記載されている。また、計算ドリルのページ１０の問題１３ａのうち、問題番号１４ａが「２」の問題１３ａについては、割り算の「÷」の記号と「＝」の記号のみが記載されている。一方、計算ドリルのページ１０の問題１３ａのうち、問題番号１４ａが「３」〜「１０」のものについては解答記入欄２３ａには何も記載されておらず、問題番号１４ａに対応する問題番号２４ａのみが記載されている。同様に、右側のページ２０ｂの解答記入欄２３ｂのうち、計算ドリルの問題番号１４ｂの小さい問題１３ｂに対しては、同じ問題が記載されている。
【００２４】
図３は、問題演習教材用解答集の所定のページを示している。問題演習教材用解答集は、ほぼＢ５の大きさであり、左側の第１の解答欄３０と右側の第２の解答欄４０が併記されている。図３は、図１に示すページ１０の問題１３を演習した後の答え合わせに使用するためのページを示している。
【００２５】
第１の解答欄３０は、図１に示す計算ドリルのページ１０の問題１３と同じ問題３３が計算ドリルと同じ配置、同じ形式で問題番号３４とともに黒字で記載されており、問題３３に対する正解３５が赤字で記載されている。また、「わり算、たし算とひき算」という単元名３１が「２」という数字３２とともに第１の解答欄３０の上部に記載されている。第１の解答欄３０は、計算ドリルのページ１０を適宜の縮尺率で記載されている。
【００２６】
第２の解答欄４０は、単元の数字４２、解答記入欄４３、問題番号４４が、図２に示す演習ノートのページ２０と同じ配置、同じ形式で黒字で記載されており、解答記入欄４３には問題１３に対する正解４５が赤字で記載されている。第２の解答欄４０には、演習ノートの背景に印刷された薄い色目の方眼も記載されている。
【００２７】
第２の解答欄４０は、計算ドリルの１ページに対応する演習ノートの全ページからなる。図１に示す計算ドリルのページ１０に対しては、図２に示す演習ノートのページ２０は２ページに亘っていることから、図３に示す第２の解答欄４０には、演習ノートの２ページ分が記載されている。計算ドリルの所定のページに対して演習ノートの対応するページが３ページである場合には、３ページ全部が記載されており、対応するページが１ページである場合には、１ページのみが記載されていることになる。なお、第２の解答欄４０は、演習ノートのページ２０を適宜の縮尺率で記載されているが、演習ノートでの対応するページ数に応じて、第２の解答欄４０における演習ノートの各ページの縮尺率が調整されている。
【００２８】
正解４５の近傍には、必要に応じて問題を解くためのポイントや、間違えやすい注意点等が枠囲み４６で付記されている。
第２の解答欄４０の下側には、「たしかめよう」との表題で、計算の仕方等を解説する解説欄５０が設けられている。解説欄５０には、解法のポイントや問題を解く際に躓きやすい点や算数用語の説明等が記載されている。
【００２９】
問題演習教材用解答集の各ページでは、第１の解答欄３０、第２の解答欄４０、及び解説欄５０以外の部分に薄い色目の方眼が印刷されている。
図４は、図３とは計算ドリルの異なるページを採点する際に使用する問題演習教材用解答集のページを示している。その体裁は基本的には図３のものと同様である。図４に示すページは、「いろいろな四角形」という単元での学習に使用するものであり、計算ドリル１ページに演習ノート１ページが対応している。第２の解答欄４０の右側には自由記入欄６０としてのスペースが設けられている。自由記入欄６０の背景には薄い色目の方眼が印刷されていることから、計算や作図等をするために活用したり間違えた問題を解き直したりすることができる。
【００３０】
また、問題演習教材用解答集の巻末には、図４に示すような図形の問題の答え合わせをする際に使用可能な原寸大の図形が記載されたページが設けられている（図示略）。
次に、本実施形態の問題演習教材用解答集の作用についてその使用方法とともに説明する。
【００３１】
児童は、演習するべき計算ドリルの所定のページと演習ノートの対応するページを開き、演習ノートの解答記入欄２３に解答を記入しながら計算ドリルの演習を行う。演習終了後には、指導者、児童、或いは保護者等は、問題演習教材用解答集の対応するページを開き、演習ノートに記入された解答の答え合わせをする。このとき、演習ノートに記入された解答と、問題演習教材用解答集の第２の解答欄４０の赤字で記載された正解４５とを照らし合わせながら答え合わせをする。そして、間違えた問題があればその原因を確認する。このとき、第２の解答欄４０の正解４５のみとの照らし合わせでその原因がわからない場合には、第１の解答欄３０の問題３３や正解３５を確認して、考え方が間違っていたのか単に数字等の記載ミスであったのか等を確認する。
【００３２】
例えば小学校の中高学年になると、児童が答え合わせをする場合がある。その場合、間違えた問題があれば解説欄５０を確認して間違えた理由、正しい解法についての理解を深める。また、自由記入欄６０を利用して計算や作図等の再確認をする。
【００３３】
図４に示すような図形の問題で作図するような問題がある場合、第２の解答欄４０が縮尺されたものであるため、作図が正しいかどうか、寸法が正しいかどうか等をすぐ判断することができない場合がある。この場合には、巻末に設けられた原寸大の図形が記載されたページを使用して答え合わせをする。
【００３４】
次に、本実施形態の問題演習教材用解答集の効果について説明する。
（１）本実施形態の問題演習教材用解答集には、計算ドリルのページ１０を転記するとともに正解３５を記載した第１の解答欄３０と、演習ノートのページ２０を転記するとともに正解４５を記載した第２の解答欄４０が併記されている。そのため、演習ノートを見ながら答え合わせをする際、計算ドリルに記載された実際の問題１３を確認することができる。誤答の原因が問題の記載ミスであるのか考え方自体が間違っているのかを容易に確認することができ、答え合わせの効率が向上する。
【００３５】
（２）第１の解答欄３０は、計算ドリルのページ１０と同じ配置で転記され、第２の解答欄４０は、演習ノートのページ２０と同じ配置で転記されている。そのため、計算ドリルと演習ノートの対応する箇所との照らし合わせが容易である。問題演習教材の答え合わせを効率よく行うことができる。
【００３６】
（３）第１の解答欄３０は、計算ドリルに記載されたページ１０の問題１３を同じ配置で転記するとともに正解３５が記載されており、第２の解答欄４０は、演習ノートにおける対応するページ２０の問題の解答を記入する解答記入欄２３の全ページを同じ配置で転記するとともに正解４５が記載されている。そして、第１の解答欄３０と第２の解答欄４０は同一のページに設けられている。そのため、問題演習教材用解答集の１ページを開くだけで。計算ドリルの問題及び正解と、演習ノートの対応する箇所での問題及び正解との照らし合わせが容易である。
【００３７】
（４）第１の解答欄３０及び第２の解答欄４０が設けられたページの余白には、方眼を印刷した自由記入欄６０が設けられている。そのため、間違えた問題があった場合に再度解きなおして間違えた原因を確認したり、問題を解くポイントを記入したり、或いは作図の問題で作図の再確認をしたりすることができる。自由記入欄６０を活用することにより、学習効率を向上させることができる。
【００３８】
（５）第１の解答欄３０及び第２の解答欄４０が設けられたページの余白には、解説欄５０が設けられている。そのため、答え合わせをしたときに、解説欄５０に記載された事項を容易に確認することができる。解説欄５０に躓きやすい問題の詳しい解説が記載されていたり、解法のポイントが記載されていたりすることにより、学習効率を向上させることができる。
【００３９】
（６）第１の解答欄３０では、赤字で記載された正解３５以外は黒字で記載され、第２の解答欄４０では、赤字で記載された正解４５以外は黒字で記載されている。そのため、正解３５、４５の部分を認識しやすく、答え合わせの効率が向上する。
【００４０】
（７）問題演習教材用解答集の巻末には、図４に示すような図形の問題の答え合わせをする際に使用可能な原寸大の図形が記載されたページが設けられている。そのため、作図等の答え合わせが確実であり、容易に行うことができる。
【００４１】
（８）通常の計算ドリルはＡ４の約２／３程度の大きさであって、巻末の「答え」１ページに対して計算ドリル４ページ分を記載している。これに対して、本実施形態の問題演習教材用解答集はほぼＢ５の大きさである。そのため、第１の解答欄３０が計算ドリルのページ１０を適宜の縮尺率で記載され、第２の解答欄４０が演習ノートのページ２０を適宜の縮尺率で記載されていても、計算ドリルの巻末の「答え」より大きく表示されている。見やすく答え合わせがしやすい。
【００４２】
（９）第２の解答欄４０は、正解４５が方眼に合わせて記載されている。そのため、演習ノートや、市販のノートに解答を記入する際の書き方見本として参照することができる。美しく丁寧なノート作りを学習することができるとともに、正しく計算する習慣がつく。学習効果を向上させることができる。
【００４３】
（１０）自由記入欄６０の背景には薄い色目の方眼が印刷されている。そのため、計算や作図等をする際に有効に活用することができる。
上記実施形態は以下のように変更してもよく、また、これらの変更例を適宜組み合わせて適用してもよい。
【００４４】
・上記実施形態では、問題集として小学校４年生の１学期に使用する計算ドリルと、その演習ノートからなる問題演習教材のための問題演習教材用解答集を例に挙げて説明したが、これに限定されない。いずれの学年のいずれの学期に使用する計算ドリルであってもよく、小学校以外で使用する計算ドリルであってもよい。また、計算ドリルに限定されることなく、算数以外の他の教科を学習するための問題集であってもよい。
【００４５】
・上記実施形態では、第１の解答欄３０と第２の解答欄４０が同一のページに設けられている場合について説明したが、必ずしも同一のページでなくてもよい。例えば、問題演習教材用解答集の見開き２ページにわたって第１の解答欄３０と第２の解答欄４０が設けられていてもよい。この場合であっても、問題演習教材用解答集の該当ページを見開き状態とすることによって、第１の解答欄３０と第２の解答欄４０の両方を見ながら答え合わせをすることができる。
【００４６】
・上記実施形態では、計算ドリルの１ページ全体を第１の解答欄３０に転記し、対応する演習ノートの全ページを第２の解答欄４０に転記したがこれに限定されない。例えば、図１に示す計算ドリルのページ１０のうち、上側の問題１３ａを問題番号１４ａとともに転記したものを第１の解答欄３０とし、図２に示す演習ノートのページ２０のうち、左側のページ２０ａの解答記入欄２３ａを問題番号２４ａとともに転記したものを第２の解答欄４０としてもよい。この場合、計算ドリル１ページ分の問題を答え合わせする際に必要な問題演習教材用解答集のページは２ページに亘ることになるが、問題演習教材用解答集の１ページと演習ノートの１ページとが対応関係となるとともに計算ドリルの問題１３とともに記載されていることになり、答え合わせがしやすい。
【００４７】
・演習ノートのページ２０の形式は上記実施形態のものに限定されない。例えば、演習ノートの左側のページ２０ａには、図１の上側の問題１３ａの全部と下側の問題１３ｂの一部を演習するための解答記入欄２３ａが記載され、右側のページ２０ｂには、下側の問題１３ｂの残りの部分を演習するための解答記入欄２３ｂが記載されていてもよい。
【００４８】
・解説欄５０、自由記入欄６０を省略することができる。また、正解４５の近傍に設けられた枠囲み４６を省略することもできる。
・上記実施形態では、図形の問題の答え合わせをする際に使用可能な原寸大の図形が記載されたページが巻末に設けられているが、設けられる場所は巻末でなくてもよい。計算ドリルの図形の問題に対応する問題演習教材用解答集のページの直後に設けられていてもよく、直前に設けられていてもよく、巻頭に設けられていてもよい。また、別体として設けられていてもよい。或いは、原寸大の図形が記載されたページを省略してもよい。
【００４９】
・上記実施形態では、正解３５、４５を赤字で記載し、他を黒字で記載しているがこれに限定されない。全体を黒字や赤字等の単色としてもよく、また、３色以上の複数の色としてもよい。さらに、第１の解答欄３０と第２の解答欄４０を異なる色としてもよい。
【００５０】
・問題演習教材用解答集の各ページに、計算ドリルに記載された問題１３のうち間違えた問題１３の問題番号１４をチェックするためのチェック欄を設けてもよい。また、こうしたチェック欄を、例えば、計算ドリルの巻末にまとめて設けてもよく、巻頭にまとめて設けてもよい。
【００５１】
・図３に示すように、問題演習教材用解答集の各ページの角に三角コーナ７０を設けてもよい。例えば、計算ドリルの該当ページの演習が終わるごとに三角コーナ７０を切り取ったり折り曲げたりしておくと、学習の進捗状況を容易に把握することができる。
【符号の説明】
【００５２】
１３、３３…問題、２３、４３…解答記入欄、３０…第１の解答欄、３５、４５…正解、４０…第２の解答欄、５０…解説欄、６０…自由記入欄。
【図１】
2020082427.tif 000003
【図２】
2020082427.tif 000004
【図３】
2020082427.tif 000005
【図４】
2020082427.tif 000006